(57)【特許請求の範囲】
【請求項１】
保持装置には水平方向に細長い固定金具と平面視が略台形で頂部の辺より底部の辺が長い複数の保持具を設け、固定金具は壁面などに固定し、複数の保持具の底部を左右方向の位置を調節自在に固定金具に固定し、ガス容器の外周が固定金具に接したとき左右の保持具の傾斜面にも接するよう保持具の左右方向の位置を調節し、左右の保持具の頂部から長さが調節自在な緊縛体をガス容器に回して締め付けるガス容器の固定支持装置。
【請求項２】
掛止具は、保持具の頂部に上面から底面の手前までの垂直方向の係止溝を設け、係止溝は平面視でＴの字形状であり、ベルトのような緊縛体の両端に係合具を設け、係合具には平面視でＴの字形状の係合突起を設け、係合具の係合突起を保持具の係止溝に上からはめ込んで掛け止める請求項１記載のガス容器の固定支持装置。
【発明の詳細な説明】
【技術分野】
【０００１】
本発明は、家屋外壁面や容器収納庫内壁面、又は固定用支柱架台などに家庭用の小型な液化石油ガス容器が地震などで転倒しないように固定する支持装置に関する。以下、説明の理解を得やすいよう液化石油ガス容器として説明するが、液化石油ガス容器に類似する酸素やアセチレン，アルゴン，水素などのガス容器の支持装置も含まれる。
【背景技術】
【０００２】
屋外に設置する小型な液化石油ガス容器（ＬＰガスボンベ）を定期的に交換するガスの供給形態では、液化石油ガス容器が地震などで転倒しないように固定し、かつ容易に固定を解除して交換できる必要がある。
【０００３】
一般的には、この液化石油ガス容器は複数本をまとめてチェーンとフックで家屋外壁面などに支持させている。
【０００４】
例えば、特開平１０−９４９５号公報に示されるように、壁面に固定した平面視が台形状のＬＰガス容器固定具により液化石油ガス容器の位置を緩く規制し、その固定具とチェーンで液化石油ガス容器を支持しで地震などによる転倒を防止し、チェーンはフックに掛けて取り付けることで、チェーンを容易に取り外しできるようにしている。
【０００５】
しかし、このチェーンによる支持では、取り外しの利便性から緩みなく固定することはできず、大きな地震では液化石油ガス容器がチェーンの中で遊んでより以上に揺れ、フックを壊して転倒するおそれがある。
【０００６】
そのため、液化石油ガス容器を緩みなく固定しようとするものとして、例えば実開昭５３−１５７４２８号公報に示されるように、液化石油ガス容器の周面に沿った曲面を有する受け金具と、液化石油ガス容器を廻る一対の金属バンドと、金属バンドを互いに連結するバックルにより、金属バンドを介して液化石油ガス容器を受け金具に押圧する支持装置が知られている。
【０００７】
また同様に緩みなく固定しようとするものとして、例えば特開２００５−８３５４５号公報に示されるように、家屋躯体に直接或いは固定装置を介して設置される家庭配置型ＬＰガスボンベを、該躯体或いは該装置に固定されたフック部材に掛止するためのベルトであって、幅広の布と長さ調整バックル材、及び一対の掛止金具にて構成されるものが知られている。
【先行技術文献】
【特許文献】
【０００８】
【特許文献１】特開平１０−９４９５号公報
【特許文献２】実開昭５３−１５７４２８号公報
【特許文献３】特開２００５−８３５４５号公報
【発明の概要】
【発明が解決しようとする課題】
【０００９】
前記した実開昭５３−１５７４２８号公報に示される容器の周面に沿った曲面を有する受け金具と、液化石油ガス容器を廻る一対の金属バンドによるものでは、液化石油ガス容器の直径は供給するガス会社により微妙に異なるため、２０kg容器と５０kg容器では直径が異なるため、予定した容器と異なる直径の容器は保持できない。
【００１０】
予定した容器と異なる直径の容器を保持するには、平面視が一対の傾斜ハの字形状面の保持装置に液化石油ガス容器の外周を二点で保持して位置を規制することが考えられる。しかし、ベルトなどで締め付けると液化石油ガス容器が家屋外壁面側に移動して保持装置に食い付いてしまう。
【００１１】
そのため、家屋外壁面などに液化石油ガス容器を緩みなく強固に固定しようとするには、揺れようとする液化石油ガス容器で壁面を傷めないため、壁面に固定した平面視が一対の傾斜ハの字形状面とそのハの字形状頂点をつなぐ壁面に平行な面の保持装置に液化石油ガス容器の外周を三点で保持して位置を規制する必要がある。
【００１２】
しかし前述のように、液化石油ガス容器の直径は供給するガス会社により微妙に異なるため、２０kg容器と５０kg容器では直径が異なるため、一定な保持装置では外周を三点で保持できない。
【００１３】
また、保持装置は壁面から容易に離脱しないよう強固に壁面に固定する必要があるが、金属サイディングなどの壁材の下地の間柱材は通気性のため部分的にしか縦に通っていないため、保持装置を取り付けられる位置は制限されてしまう。そのため、液化石油ガス容器を置きたい位置と保持装置が取り付けられる位置が合わない場合がある。
【００１４】
さらに、特開２００５−８３５４５号公報に示されるベルトの掛止金具は、Ｔ形突起に掛止金具の長方形の孔のフック挿通孔を捩じって掛けるもので、ベルトの掛止金具の着脱が容易ではなかった。
【００１５】
そこで本発明は、保持装置は液化石油ガス容器の直径が異なっても外周を三点で保持でき、保持装置は液化石油ガス容器を置きたい位置に合わせられ、容器の交換の際にベルトのような緊縛体の掛止具の脱着が容易な液化石油ガス容器の固定支持装置を提供することを目的とする。
【課題を解決するための手段】
【００１６】
請求項１の発明のガス容器の固定支持装置は、保持装置10には水平方向に細長い固定金具11と平面視が略台形で頂部の辺より底部の辺が長い複数の保持具12を設け、固定金具11は壁面２などに固定し、複数の保持具12の底部12aを左右方向の位置を調節自在に固定金具11に固定し、ガス容器Ｂの外周が固定金具11に接したとき左右の保持具12の傾斜面12bにも接するよう保持具12の左右方向の位置を調節し、左右の保持具12の頂部12cから長さが調節自在な緊縛体20をガス容器Ｂに回して締め付けるものである。
【００１７】
請求項２の発明のガス容器の固定支持装置は、掛止具30は、保持具12の頂部12cに上面から底面の手前までの垂直方向の係止溝31を設け、係止溝31は平面視でＴの字形状であり、ベルトのような緊縛体20の両端に係合具21を設け、係合具21には平面視でＴの字形状の係合突起21aを設け、係合具21の係合突起21aを保持具12の係止溝31に上からはめ込んで掛け止めるものである。
【発明の効果】
【００１８】
請求項１の発明によれば、保持装置10には水平方向に細長い固定金具11と平面視が略台形で頂部12cの辺より底部12aの辺が長い複数の保持具12を設け、固定金具11は壁面２などに固定し、複数の保持具12の底部12aを左右方向の位置を調節自在に固定金具11に固定し、ガス容器Ｂの外周が固定金具11に接したとき左右の保持具12の傾斜面12bにも接するよう保持具12の左右方向の位置を調節するから、ガス容器Ｂの直径が異なっても外周を三点で保持でき、緩みなく強固に固定できる。
【００１９】
また、保持装置10には水平方向に細長い固定金具11と平面視が略台形で頂部12cの辺より底部12aの辺が長い複数の保持具12を設け、固定金具11は壁面２などに固定し、複数の保持具12の底部12aを左右方向の位置を調節自在に固定金具11に固定するから、保持装置10の保持具12はガス容器Ｂを置きたい位置に合わせられる。
【００２０】
請求項２の発明によれば、掛止具30は、係合具21の係合突起21aを保持具12の係止溝31に上からはめ込んで掛け止めるものであるから、容器の交換の際にベルトのような緊縛体20の掛止具30の脱着が容易となる。
【図面の簡単な説明】
【００２１】
【図１】図１はガス容器の固定支持装置を示す正面図である。
【図２】図２は図１の平面図である
【図３】図３は図１の保持装置を示す図である。
【図４】図４は図２の保持装置を示す図である。
【図５】図５は図４の側面図である。
【図６】図６は保持具と緊縛体の脱着状態を示す斜視図である。
【発明を実施するための形態】
【００２２】
保持装置10はガス容器Ｂの直径が異なっても外周を三点で保持でき、保持装置10はガス容器Ｂを置きたい位置に合わせられ、容器の交換の際にベルトのような緊縛体20の掛止具30の脱着が容易なガス容器Ｂの固定支持装置１を提供する目的を、保持装置10には水平方向に細長い固定金具11と平面視が略台形で頂部12cの辺より底部12aの辺が長い複数の保持具12を設け、固定金具11は壁面２などに固定し、複数の保持具12の底部12aを左右方向の位置を調節自在に固定金具11に固定し、ガス容器Ｂの外周が固定金具11に接したとき左右の保持具12の傾斜面12bにも接するよう保持具12の左右方向の位置を調節し、掛止具30は、保持具12の頂部12cに上面から底面の手前までの垂直方向の係止溝31を設け、係止溝31は平面視でＴの字形状であり、ベルトのような緊縛体20の両端に係合具21を設け、係合具21には平面視でＴの字形状の係合突起21aを設け、係合具21の係合突起21aを保持具12の係止溝31に上からはめ込んで掛け止め、長さが調節自在な緊縛体20をガス容器Ｂに回して締め付けることで実現した。
【実施例１】
【００２３】
図１は、本発明の実施例１に係るガス容器としての液化石油ガス容器Ｂの固定支持装置１である。
【００２４】
この固定支持装置１は、液化石油ガス容器Ｂの位置を規制する保持装置10と、液化石油ガス容器Ｂを保持装置10に締め付ける緊縛体20と、緊縛体20を保持装置10に着脱自在に掛け止める掛止具30から成る。
【００２５】
保持装置10には、水平方向に細長い固定金具11と平面視が略台形の複数の保持具12を設ける。保持具12の数は設置する液化石油ガス容器Ｂの本数より一個多い数とする。
【００２６】
固定金具11は、断面が略Ｃの字状の細長い鋼板製のレールであり、略Ｃの字状の開口11aを正面として、背面11bに多数の取付孔11cを設け、開口11aの上下に垂直平面の固定座11dを設ける。固定金具11は、背面11bの適宜の取付孔11cに木螺子を通して家屋の壁面２などに水平に固定する。
【００２７】
平面視が略台形の保持具12は樹脂で成型され、頂部12cの辺より底部12aの辺が長い底部12aと頂部12cと、底部12aと頂部12cの両端部をつなぐ左右一対の傾斜面12bを設ける。複数の保持具12の底部12aを固定金具11の固定座11dに当接させ、底部12aの両端部に底部12aと平行な一対の取付座12dを設け、取付座12dに取付孔12eを設ける。
【００２８】
保持具12に対応する位置の固定金具11内の固定座11d裏面に矩形の板である固定板13を設け、固定板13の両端部に雌螺子13aを設ける。保持具12の取付孔12eから固定板13の雌螺子13aにボルト14を通して締め付ける。
【００２９】
保持具12と固定板13で固定金具11の固定座11dを挟持し、固定板13が固定金具11内を左右に移動することで、保持具12を左右方向の位置を調節自在に固定金具11に固定する。
【００３０】
左右の保持具12の頂部12cから、液化石油ガス容器Ｂに回して締め付ける、バックル22により長さが調節自在な緊縛体としてのベルト20を設ける。ベルト20は、合成繊維の帯で引張強度と耐候性を有するものである。
【００３１】
ベルト20を保持装置10の保持具12に着脱自在に掛け止める掛止具30は、保持具12側の係止溝31とベルト20側の係合具21から成る。
【００３２】
保持具12の頂部12cに上面から底面の手前までの垂直方向の係止溝31を設け、係止溝31は平面視でＴの字形状とする。
【００３３】
ベルト20の両端に係合具21を設け、係合具21は樹脂で成型され、係合具21には平面視でＴの字形状の係合突起21aを設ける。
【００３４】
掛止具30は、係合具21の係合突起21aを保持具12の係止溝31に上からはめ込んで脱着自在に掛け止める。
【００３５】
次に、固定支持装置１の設置方法について説明する。
【００３６】
液化石油ガス容器Ｂの設置位置の壁面２の壁材の下地の間柱材の有る位置に固定金具11を固定する。このとき、固定金具11は液化石油ガス容器Ｂに対して左右均等とならなくとも良い。
【００３７】
保持具12に固定板13を取り付け、固定板13を固定金具11内に横から挿入する。液化石油ガス容器Ｂの外周が固定金具11に接したとき左右の保持具12の傾斜面12bにも接するよう保持具12の左右方向の位置を調節して固定する。
【００３８】
液化石油ガス容器Ｂの外周を固定金具11の固定座11dと保持具12の左右の傾斜面12bの三点で保持させ、ベルト20を液化石油ガス容器Ｂに回して締め付ける。これにより、液化石油ガス容器Ｂを緩みなく強固に固定できる。
【００３９】
液化石油ガス容器Ｂの交換に際しては、図６に示すように、ベルト20のバックル22を少し緩め、係合突起21aを係止溝31から上に抜き、交換後に係合突起21aを係止溝31に上からはめ込み、バックル22を締め付ける。
【００４０】
以上の実施例では、固定支持装置１を家屋の壁面２に取り付ける例を示したが、固定支持装置１は容器収納庫内壁面や固定用支柱架台などに取り付けても良い。
【００４１】
また、緊縛体として合成繊維のベルト20の例を示したが、緊縛体は樹脂被覆した鋼製ワイヤーのように柔軟で強度の有るものであれば良い。
【符号の説明】
【００４２】
２  壁面
10  保持装置
11  固定金具
12  保持具
12a  底部
12b  傾斜面
12c  頂部
20  緊縛体としてのベルト
21  係合具
21a  係合突起
30  掛止具
31  係止溝
Ｂ  ガス容器としての液化石油ガス容器
【図１】
0005684641.tif 000002
【図２】
0005684641.tif 000003
【図３】
0005684641.tif 000004
【図４】
0005684641.tif 000005
【図５】
0005684641.tif 000006
【図６】
0005684641.tif 000007